(57)【特許請求の範囲】
【請求項１】
輪郭が付けられた前方部分（４）、中央部分（２）、およびフィン（１２）を支持し得る後方部分（１）を含んでいる、銃と同一口径を備えるかまたは縮射口径である弾頭からなっている、小、中および大口径銃用弾薬において、
前記弾頭が、前記弾頭の本体の剛性より大きな剛性を有する筒状インサートからなる内部コア（６）を含んでおり、
前記内部コア（６）は、前記弾頭の前方に開いている軸方向の孔（５）内にその軸線に沿って延びて収納されることを特徴とする小、中および大口径銃用弾薬。
【請求項２】
前記内部コア（６）が前記弾頭の前記前方部分（４）および前記中央部分（２）を超えて延びていることを特徴とする請求項１に記載の小、中および大口径銃用弾薬。
【請求項３】
前記内部コアの前面が前記弾頭の前記前方部分の前面から後ろに置かれることを特徴とする請求項２に記載の小、中および大口径銃用弾薬。
【請求項４】
前記内部コア（２０）が突出しかつその前方端（２１）が前記弾頭の前記前面（２２）を超えて延びることを特徴とする請求項２に記載の小、中および大口径銃用弾薬。
【請求項５】
前記内部コア（６）が単一の均質の要素からなっていることを特徴とする請求項１〜４のいずれか１項に記載の小、中および大口径銃用弾薬。
【請求項６】
前記内部コアが同一軸線に沿って連続して配置された少なくとも２つの連続する要素（１５，１６）からなっていることを特徴とする請求項１〜４のいずれか１項に記載の小、中および大口径銃用弾薬。
【請求項７】
前記内部コアが第１の筒状要素（２３）および等しい直径の１またはそれ以上のボール（２４）を含んでいることを特徴とする請求項６に記載の小、中および大口径銃用弾薬。
【請求項８】
前記内部コアが回転対称を有しかつその表面の部分の上方のリブを含んでいるロッド（６）からなっていることを特徴とする請求項１〜７のいずれか１項に記載の小、中および大口径銃用弾薬。
【請求項９】
前記内部コア（６）が環状、螺旋状または長手方向のリブを有することを特徴とする請求項８に記載の小、中および大口径銃用弾薬。
【請求項１０】
前記内部コアが軸線に関連して対称に配置された２〜６個の長手方向リブ（７）を有していることを特徴とする請求項９に記載の小、中および大口径銃用弾薬。
【請求項１１】
前記弾頭の本体の前記前方部分が破裂起爆剤を有していることを特徴とする請求項２〜４のいずれか１項に記載の小、中および大口径銃用弾薬。
【請求項１２】
前記内部コア（６）が鋼、真鍮、銅またはアルミニウム合金から作られることを特徴とする請求項１〜１１のいずれか１項に記載の小、中および大口径銃用弾薬。
【請求項１３】
前記弾頭の本体が５〜４０％の亜鉛を含有する銅または真鍮から作られることを特徴とする請求項１〜１２のいずれか１項に記載の小、中および大口径銃用弾薬。
【発明の詳細な説明】
【０００１】
（技術分野）
本発明は、小、中および大口径銃（ウェポン）用弾薬（アミュニション）に、かつより詳しくは、本質的に柔らかいターゲットに対して改良された効率を有する、とくに狩猟用銃の新規な型のコア弾頭（ビュレット）に関する。
【０００２】
（発明の背景）
コア弾頭弾薬は、銃と同一口径を備えた送弾筒（発射装置）と連係するフィンで安定化された副発射体（コア）を含んでおり、波形が付けられ閉止されたカートリッジ内に横たわっている存在物は、また、装填ケース（プライムドケース）および推進剤を含んでいる。この型の弾薬は、例えば、フランス国特許第２，５５５，７２８号に記載されている。
【０００３】
また、他の情報源から知られるのは、衝突時に変形するように設計された種々の弾薬、例えば、その頭部が変形起爆剤を構成しているスロットを有する、国際特許出願第ＷＯ９７／４０３３４号におけるごとき拡大軍需品である。アメリカ合衆国特許第４６８５３９７号は、壁を外方に向かってひっくり返している、弾頭の頭部の軸線に沿って形成された筒状の孔に駆動され得るキャップによって同様な作用を発生する弾頭を記載している。アメリカ合衆国特許３８８１４２１号は、頭部がターゲットとの衝突時に頭部が平らになるように中空にされる弾頭を記載している。
【０００４】
（発明の開示）
本発明は弾頭コア弾薬に関しかつにより詳しくは、またコアとして知られている副発射体に関する。コアはターゲットとの衝突時変形するのが望ましいが、この変形は制御される必要がありかつ危険となるかも知れない幾つかの小型のコア部分に過度な転置を結果として生じるべきでない。
【０００５】
本発明の主題は、ターゲットの柔らかい部分との衝突時にコアの制御された変形を得ることができ、一方同時に多重部分の形成を回避しかつ前記ターゲットの硬い部分の破壊を保証するために十分な剛性および結合を備えたコアの本体を設ける装置である。
【０００６】
本発明の装置は、実質上、輪郭が付けられた前方部分、中央部分、およびフィンを支持し得る後方部分を含んでいる、銃と同一口径を備えるかまたは縮射口径である弾頭からなっており、前記弾頭が、その軸線に沿って、前記弾頭の本体の剛性より大きな剛性を備えた内部コアを含んでいる。
【０００７】
より詳しくは、本発明の装置は、銃と同一の口径を備えた発射体、または、その軸線に沿って配置されかつ発射体または副発射体（サブプロジェクタイル）の前面に少なくとも近接して延びる、発射体または副発射体の本体の残部より大きな剛性を備えた筒状インサートを含んでいる、銃と同一の口径を有する発射装置と組み合わせて使用されるように向けられた副発射体からなっている。
【０００８】
１実施例によれば、本発明による弾頭は輪郭が付けられた前方部分、中央部分およびフィンを支持し得る後方部分を含んでおりそして内部コアが、好ましくは、弾頭の前方部分および中央部分を超えて延びているような長さからなっている。
【０００９】
本発明の代替の形状によれば、内部コアは弾頭全体を貫通しかつ弾頭の後方部分から前方部分に延び、そして内方コアの前方部分が、フィンで安定化された弾頭の場合に、フィンの支持体として作用し得る。
【００１０】
この内部コア、またはインサートは、それが弾頭に挿入されかつ弾頭によって支持されるため、「支持された内部コア」を構成している。説明の残部において、簡単化のために、単に「内部コア」と呼ばれるが、公知の技術のフィンで安定化された縮射口径のコア弾頭の副発射体を構成するコアとは識別されるべきである。
【００１１】
好都合な実施例によれば、内部コアは弾頭の前方に開いている軸方向の孔内に収納され、そして内部コアの前面は弾頭の前方部分の前面から後ろに置かれている。
【００１２】
本発明による実施例の代替の形状によれば、内部コアは突出することができ、すなわち、その前方端が軸方向孔から延び、かつ同様に幾つかの場合に、弾頭の前面に横たわることも可能である。かかる配置はフィンで安定化された弾頭の場合にとくに好都合であるかもしれない。
【００１３】
内部コアは単一の要素または同一軸線に沿って隣接して配置される幾つかの連続する要素から作られることもできる。例えば、２つの要素から作られた内部コアを設けるのが好都合であるかもしれない。実施例の代替の形状によれば、内部コアは制御された分裂から作られかつ例えば、内部コアの直径にほぼ等しい直径のボールを、衝突時に、まき散らす要素を含むこともできる。この実施例の形状は、衝突の時に較正部分を得、かつしたがって二次的危害を発生することにより弾薬の致死量を改善することを可能にする。
【００１４】
内部コア、または、インサートは、例えば、高い機械的強度を備えた鋼、真鍮、銅またはアルミニウム合金から作られ得る。
【００１５】
弾頭の本体が、例えば、５ないし４０％の亜鉛を含有する銅または真鍮、または所望の機械的特性を備えた金属合金、例えば、アルミニウムまたは鉛合金から作られることができる。従来技術との比較により、本発明の技術は、鉛が、非汚染であると思われる他の金属または合金によって完全にまたは部分的に置き換えられ得る利点を有している。フィンで安定化された弾頭の場合において、フィンは金属または副発射体の金属本体を覆ってプラスチツクを加工することにより形成されたポリマから作られてもよく、そしてそれは安定化するフィンを有することができる。
【００１６】
本発明による代替の形状によれば、内部コアおよび弾頭の本体は１つのおよび同一の基礎材料、例えば、銅または真鍮から形成される。この場合に、もちろん、内部コアの剛性は弾頭の本体の剛性より大きいように公知の手段によって高められる。内部コアは、その場合に、弾頭と同時に、同一の材料から製造されることができる。
【００１７】
支持された内部コア、またはインサートは、一般に、添付図面に示されるように、発射体と同軸の、回転対称を有しかつ一定の増大または減少断面を有するロッドの形を有している。弾頭の本体へのインサートの取着を改善するように筒状面上にリブを設けるのが好都合かもしれない。これらのリブは環状または螺旋状または好ましくは、長手方向のリブであってもよく、軸線に関連して対称に、シリンダの長さの部分またはすべてにわたって２ないし６個になっている。加えて、長手方向リブは、筒状インサートが弾頭の軸線に沿ってすでに穿たれている孔に強制的にそれを導入することにより嵌合されるとき、弾頭の前面上に破裂起爆剤を形成するのに役立つかもしれない。弾頭が冷間変形によって得られるならば、弾頭のブランクの軸線に沿って以前に配置された、支持された内部コアはその長手方向リブをプレスによってずれた本体材料に押しつけかつしたがって所望の破裂起爆剤（ラプチャーイニシェーター）を作り出す。
【００１８】
ひれらの破裂起爆剤は、内部コアと協力することにより、弾頭の頭部が「花びら」を形成することによりまたはリブと同様な多数の要素に「キノコ状に広がることにより変形することに遭遇し、中央の内部コアのまわりにその全体形状を維持しかつ全体をともに保持する構造として作用する。それらは弾頭の周部に、好ましくは、「キノコ状に広げられる」ような領域、すなわち、制御された変形が引き起こされる領域に作られた円形または長手方向の溝と組み合わせて連係され得る。
【００１９】
他の代替の形状によれば、副発射体または弾頭の本体に穿たれた孔内で一方が他方の後ろの、発射体の軸線に沿って配置された２つのインサートまたは内部コアを設けることができる。
【００２０】
上で示されたように、弾頭はスピンまたはフィンで安定化された型からなることも可能である。スピン安定化弾頭は螺旋状の溝が切られた（ｒｉｆｌｅｄ）銃身を備えた銃に使用され、その結果銃身の螺旋は、弾頭に固定されたピンと協力することにより、弾頭をその軸線のまわりに回転させる。フィンで安定された弾頭が旋条のない銃に使用され得る。
【００２１】
本発明の特徴および利点は、添付図面を参照して幾つかの非限定の例に関する以下の説明においてより詳細に明らかになる。
【００２２】
（発明を実施するための最良の形態）
図１に示されるように、すべての口径の弾頭は、その後方部分において、狭くなった基部１、その中央部分において、円形溝３が形成される本体２、その前方部分において、尖頭部分４を含み、このすべてが装薬（チャージ）（図示せず）を含んでいる装填ケースに部分的に導入されている。
【００２３】
孔５が弾頭の軸線に沿って尖頭部分４の全面に穿たれかつその表面に幾つかの長手方向リブ７を備えた支持された内部コア６を収容している。円錐状の口部９は「キノコ状の広がり」を開始し易くする。
【００２４】
図２は軸線に関連して対称的に配置されかつ前記コアの周部のまわりに均一に分布された支持された内部コア６上の４個のリブ７の位置を示している。これらのリブ７の細長い隆起は孔５の内方壁に対して支持している。それらは、孔５内に強制的に挿入される内部コアが製造中に嵌合されるとき孔５の周部上の尖頭部分４の厚さにおいて破裂起爆剤の形成を生じる利点を有している。
【００２５】
尖頭部分４は、衝突時および的中の間中の変形を良好に制御するように、図３および図４によって詳述されるように、押し戻されるような花びら１０の速度および可能性を容易にする１またはそれ以上の円形の溝８を有することができる。
【００２６】
図５が示すように、縮射口径（サブキャリバ）の弾頭１１はその後方部分にフィン１２を備え、そして点線で描かれた発射送弾筒によって覆われ、このすべてが、図示されてない、装薬で充填された装填ケース内にある。
【００２７】
孔１４が、その軸線に沿って、弾頭１１の前面に穿たれておりそして図５に示されるように縦に並んで取り付けられた２つの支持された内部コアを含んでいる。後方の支持された内部コア１５は孔１４の部分ネジ山と組み合わせて螺旋溝１７を有している。後方の支持された内部コア１５に対して支持している前方の支持された内部コア１６はその表面上に幾つかのリブ１８を有している。
【００２８】
内部コア１６の表面上のリブは、軸線に関連して対称に配置された、３個であってもよい。これらのリブの細長い隆起は孔１４の内壁に対して押している。螺旋溝１７は後方の支持された内部コア１６の表面に形成されている。
【００２９】
縮射口径の弾頭１１の全面１９は衝突時変形を制御するように金属インサートと協力する、適切な形状を有することができる。この環状の前方領域１９は、例えば、フランス国特許第２２５９９８２８号の図５ａないし５ｈに描かれた形状の１つを備えることができる。発射時に得られる結果の例示は図６および図７に詳述されている。
【００３０】
図５のフィンで安定化された弾頭の代替の形状によれば、支持された内部コアは、その背前方端が弾頭の前面を超えて延びている、内部コアを示す図８に示されるように、突出する形状において製造されている。この実施例において、内部コア２０は切截円錐形状の頭部２１を含んでおり、小さい基部が前方で向かい合っている。内部コアの２つの部分２０および２１は、もちろん、１つおよび同一の均質の部分からなっている。
【００３１】
図８に示されるように、空間が、ターゲットとの衝突時の弾頭の変形を容易にするように、弾頭の前面２２と内部コアの頭部２１の縁部を分離している。
【００３２】
図９に描かれた全口径スピン安定化弾頭の代替の形状において、内部コアはボール２４と連係する前方のコア要素２３を含んでいる。
【００３３】
後方要素は幾つかの金属ボール２４からなっている。ボールの直径は内部コアの直径にほぼ等しく、それはボールが前方要素２３によって軸方向の孔５内で所定位置に保持されることを意味している。ターゲットとの衝突時、弾頭の頭部の変形は図３に描かれた変形と同様であり、そして内部コアの前方要素２３がボール２４を取り外しかつ解放させる作用を有している。
【００３４】
図１０は、図１の弾頭と同様な、銃と同一の口径を備えたスピンで安定化された弾頭を示しており、基部１、円形の溝３を備えた本体２および輪郭が付けられた前方部分４を含み、これらのすべてが、後方要素２６および前方要素２７を含んでいる内部コアがその中に置かれる孔２５を完全に貫通して有している。
【００３５】
コアの前方要素２６は孔２５の内面に形成されたネジ山２９と起用力するネジ山２８を有している。この配置は後方要素２６を弾頭の本体内に固定させる。これに反して、内部コアの前方要素２７は孔２５の前方部分に強制的に挿入される。
【００３６】
ターゲットとの衝突時、内部コアの後方要素２６は弾頭の本体に固定されて残り、その前方部分は、図１１に示されるように、外方に向かって中間から折り曲げられ、一方、内部コアの前方要素２７は解放されている。
【００３７】
プラスチツク材料（プラスチライン（商標））のブロックに対して発射された、本発明による弾薬を使用して実施された試験は、通常の鉛弾薬の有効値より良好な、図３、図６および図１１によって示されるような、ターゲットとの衝突時の弾頭の優れた有効値、とくに制御された変形を示した。
【００３８】
（産業上の利用可能性）
本発明は旋条の無いまたは螺旋状の溝を切った銃身を有する、全口径の狩猟用銃のコア弾頭弾薬に利用され得る。
【図面の簡単な説明】
【図１】  狩猟用ライフル用の、本発明による内部コアを備えたスピンで安定化されたすべての口径の弾頭を示す部分断面概略図である。
【図２】  図１の弾頭の内部コアを拡大して示す断面図である。
【図３】  衝突および貫通に続いている、図１の弾頭を示す部分断面輪郭図である。
【図４】  図３の矢印Ａの方向の図である。
【図５】  狩猟用ライフル用の、本発明による支持された内部コアを有する縮射口径弾頭を示す簡単化された半分の部分断面図である。
【図６】  衝突および貫通に続いている図５の縮射口径の弾頭を示す半分の輪郭の部分断面図である。
【図７】  図６の矢印Ｂの方向の図である。
【図８】  突出する内部コアを含んでいる、図５の縮射口径の弾頭の代替の形状を示す簡単化された半分の部分断面図である。
【図９】  ボールと連係する内部コアを含んでいる、図１のすべての口径のスピンで安定化された弾頭の代替の形状を示す部分断面図である。
【図１０】  完全に貫通する２つの要素の内部コアを有する、図１のすべての口径のスピンで安定化された弾頭の代替の形状を示す部分断面図である。
【図１１】  衝突および貫通に続いている図１０の弾頭の部分断面輪郭図である。
【図１】
0004593045.tif 000002
【図２】
0004593045.tif 000003
【図３】
0004593045.tif 000004
【図４】
0004593045.tif 000005
【図５】
0004593045.tif 000006
【図６】
0004593045.tif 000007
【図７】
0004593045.tif 000008
【図８】
0004593045.tif 000009
【図９】
0004593045.tif 000010
【図１０】
0004593045.tif 000011
【図１１】
0004593045.tif 000012